(57)【特許請求の範囲】
【請求項１】
光媒体再生デバイス用のライトストラテジキャリブレーションシステムであって、
ライトストラテジテーブルを記憶するためのメモリと、
制御モジュールであって、該制御モジュールは、
書込み信号を生成して前記ライトストラテジテーブルに記憶されたキャリブレーションデータに従って、光ストレージ媒体にトレーニングパターンを書き込み、前記トレーニングパターンは、第１のパターンで形成された複数のマーク及び複数のスペースを有するプリアンブルパターンと、前記第１のパターンと異なる第２のパターンで形成された複数のマーク及び複数のスペースを有するメインデータシーケンスと、を含んでおり、前記キャリブレーションデータは、特定の長さの複数のマークがどのように前記光媒体デバイスに形成されるべきかを指定するものであり、
前記光ストレージ媒体に以前書き込まれた前記トレーニングパターンを読み出し、前記メインデータシーケンスの前記複数のマークの一つの長さが前記キャリブレーションデータによって指定された前記特定の長さに対応するかどうかを決定し、
前記メモリに記憶された前記キャリブレーションデータを、前記キャリブレーションデータによって指定された前記特定の長さに対応しない前記複数のマークの前記一つの前記長さに応答して、調整し、
前記メインデータシーケンスが冗長パターンを含んでおり、前記冗長パターンが、同一の第１の長さを有する二つのスペース及び同一の第２の長さを有する二つのマークから構成されてＤＣオフセット信号を前記メインデータシーケンスに出現させ、該制御モジュールが、該冗長パターンに応答して引き起こされた前記ＤＣオフセット信号にロックし該ＤＣオフセット信号を除去する、制御モジュールと、
を備える、ライトストラテジキャリブレーションシステム。
【請求項２】
前記プリアンブルパターンは、前記光媒体再生デバイス及び／又は前記光ストレージ媒体の最小遷移間隔に基づいて形成されている、請求項１に記載のライトストラテジキャリブレーションシステム。
【請求項３】
前記トレーニングパターンは、前記プリアンブルパターンの終了と前記メインデータシーケンスの開始とを示す同期マークを含む、請求項１に記載のライトストラテジキャリブレーションシステム。
【請求項４】
前記メインデータシーケンスは、マーク長およびスペース長の全ての可能な組合せを表すマーク長・スペース長組合せを含む、請求項１に記載のライトストラテジキャリブレーションシステム。
【請求項５】
請求項１に記載のライトストラテジキャリブレーションシステムを備える光媒体再生デバイス。
【請求項６】
コンパクトディスク（ＣＤ）書込み可能ドライブ、ＣＤ書換え可能ドライブ、デジタル多用途ディスク（ＤＶＤ）書込み可能ドライブ、ＤＶＤ書換え可能ドライブ、ブルーレイＤＶＤドライブ、およびＨＤ ＤＶＤドライブのうちの少なくとも一つである、請求項５に記載の光媒体再生デバイス。
【請求項７】
前記ライトストラテジテーブルが、既知の光ストレージ媒体タイプについてのキャリブレーションデータを含む、請求項１に記載のライトストラテジキャリブレーションシステム。
【請求項８】
前記光媒体再生デバイスが、前記ライトストラテジテーブル中の前記キャリブレーションデータを調整した後に、前記トレーニングパターンを書き換える、請求項１に記載のライトストラテジキャリブレーションシステム。
【請求項９】
前記ライトストラテジテーブルが、揮発性メモリと不揮発性メモリのうちの少なくとも一方に記憶される、請求項１に記載のライトストラテジキャリブレーションシステム。
【請求項１０】
前記ライトストラテジテーブルが、前記光媒体再生デバイスのファームウェアで実装される、請求項１に記載のライトストラテジキャリブレーションシステム。
【請求項１１】
前記制御モジュールは、前記光ストレージ媒体が既知の媒体タイプであるか又は未知の媒体タイプであるかに基づいて、前記トレーニングパターンを選択する、請求項１に記載のライトストラテジキャリブレーションシステム。
【請求項１２】
前記メインデータシーケンスが、前記第２のパターンと異なる第３のパターンで形成された複数のマーク及び複数のスペースを更に含む、請求項１に記載の光媒体再生デバイス。
【請求項１３】
前記メインデータシーケンスが、複数の異なるパターンで形成された複数のマーク及び複数のスペースを含み、該複数の異なるパターンが前記第２のパターンを含む、請求項１に記載の光媒体再生デバイス。
【発明の詳細な説明】
【関連出願の相互参照】
【０００１】
[0001]本出願は、２００５年９月２３日に出願の米国仮出願第６０／７１９８６６号の利益を請求するものである。上記出願の開示は、その全体が参照により本明細書に組み込まれている。
【分野】
【０００２】
[0002]本開示は、光媒体再生デバイスおよび媒体に関するものであり、より詳細には光媒体用のライトストラテジをキャリブレーションすることに関するものである。
【背景】
【０００３】
[0003]コンパクトディスク（ＣＤ）やデジタル多用途ディスク（ＤＶＤ）などの光媒体は、光学的にリードバックされるデータを記憶する。光ディスクは、一般的にプラスチックと、データ符号化用の連続的な螺旋形のトラックを含む交互の反射／非反射層とから成る基板を含んでいる。光媒体再生デバイスは、トラック上にレーザを通過させてデータを読み取る。光センサは、トラック上の符号化データから反射して返される光を受け取る。
【０００４】
[0004]ここで、図１を参照する。例示のワンタイム書込み可能ディスク（例えば、ＣＤ−書込み可能ディスク／ＣＤ−Ｒおよび／またはＤＶＤ−書込み可能ディスク／ＤＶＤ＋／−Ｒ）１０は、一般的にポリカーボネートプラスチック基板１２、染料層１４、および反射金属層１６を含んでいる。例えば、反射金属層１６は、アルミニウム層を含んでいてもよい。ディスク１０がブランクであるとき、染料層１４は、透光性であり、光が通過して反射金属層１６を照らし、反射金属層１６から反射される。レーザでディスク１０に書き込むときに、染料層１４の選択された部分は、特定の強度および周波数で加熱され、これがこの選択された部分を不透明にする。染料層１４の不透明な部分は、光を反射しない。染料層１４の不透明な非反射部分は、「マーク（mark）」と称される。逆に、染料層１４の透光性の反射部分は、「スペース（space）」と称される。光媒体再生デバイスは、ディスク１０からデータを読み取る読取りレーザと、記録する目的のために染料層１４を変質させる書込みレーザとを含むことがある。
【０００５】
[0005]リードバック中に、光ディスクは、光媒体再生デバイスによって回転させられる。光媒体再生デバイスは、通常、少なくとも一つのレーザ、スピンドルモータ、および光センサを含んでいる。スピンドルモータは、光媒体を回転させる。レーザは、光媒体のトラック上に向けられ、光センサは、反射光を測定する。光センサが高反射率（すなわち、スペース）に対応する高電流レベルを生成すると、このデータは、「１」（または「０」）として解釈される。光センサが低反射率（すなわち、マーク）に対応する低電流レベルを生成すると、このデータは、「０」（または「１」）として解釈される。一部のデバイスにおいては、スペース／マーク信号、または変換されたＮＲＺＩ（non-return to zero inverted：非ゼロ復帰反転）信号として一般に記述される信号は、図２に示されるように、ＮＲＺ（non-return to zero非ゼロ復帰）信号に変換することができる。ここで１は遷移を表し、０は遷移の不在を表している。
【０００６】
[0006]次に図３を参照する。例示の書換え可能ディスク（例えば、ＣＤ−書換え可能ディスク／ＣＤ−ＲＷおよび／またはＤＶＤ−書換え可能ディスク／ＤＶＤ＋／−ＲＷ）２０は、通常、ポリカーボネートプラスチック基板２２、誘電体層２４、相変化化合物層２６、および反射金属層２８を含んでいる。相変化化合物層２６は、例えば銀、アンチモン、テルル、および／またはインジウムの化合物であってもよい。レーザを使用して、この化合物を結晶化温度および／または融解温度より高く加熱する。この融解温度より高い温度から急速に冷却されるとき、この化合物は流動性のアモルファス状態のままにとどまり、非反射部分（すなわち、マーク）をもたらす。逆に、ある期間にわたって結晶化温度に保持されると、この化合物は、冷却される前に固体状態に戻り、反射部分（すなわち、スペース）をもたらす。したがって、読取りレーザに加えて、光媒体再生デバイスは、融解温度より高く化合物を加熱するのに十分強力な書込みレーザと、結晶化温度より高く化合物を加熱するのに十分強力な消去レーザと、を含んでいてもよい。
【０００７】
[0007]ワンタイム書込み可能ディスク用途または書換え可能ディスク用途の何れにおいても、書込みプロセスは、非線形である。マーク（および、書換え可能ディスク用途においてはスペース）は、書込みレーザおよび／または消去レーザからの集束加熱に従って生成される。したがって、熱拡散および相変化の問題が、移動する光媒体の高速回転速度において生ずる可能性がある。
【０００８】
[0008]次に図４Ａ〜図４Ｄを参照する。ＤＶＤ＋／−Ｒ媒体などのワンタイム書込み可能媒体に対して書き込むために必要とされる例示のレーザパワープロファイル３０が示されている。トラック位置ｔから開始されるマーク３２を形成するために、パルス３４が、トラック位置ｔ−ｙにおいて開始される。トラック位置ｕにおいてマーク３２を終了するために、パルス３４は、トラック位置ｕ−ｘにおいて終了される。換言すれば、レーザパワー３０の調整は、熱拡散の非線形性の結果として、マーク３２の所望の位置からオフセットされる。（それぞれパルスタイミングエッジ３６および３８に対応する）位置オフセットｙおよびｘは、それだけに限定はされないがレーザパワー３０、媒体タイプ、および／またはその書込み速度を含めて様々な因子に依存し得る。
【０００９】
[0009]次に、図５Ａおよび５Ｂを参照する。ＤＶＤ＋／−ＲＷなどの書換え可能媒体に対して書き込むために必要とされる典型的なレーザパワープロファイル４０が示されている。書込みパルス４２は、クーリングパワーレベル４４と消去パワーレベル４６の両者よりも大きい。図４Ａ〜図４Ｄに示されるようなレーザプロファイル３０と同様に、これらのパルス４２は、マーク４８の所望の開始位置ｔに先立って開始され、マーク４８の所望の終了位置ｕに先立って終了される。
【００１０】
[0010]光媒体への加熱ベースの書込みの非線形的な性質のために、これらの様々なパワーレベルおよびパルスタイミングエッジは、個別の所望のマーク長に従って（すなわち、各マーク長をベースにして）キャリブレーションする必要がある。さらに、このキャリブレーションは、マークに隣接し且つマークの何れかの側にある前方（leading）スペースおよび後方（trailing）スペースに依存する。現行の光媒体記録規格で使用される符号化スキームにおいては、マークもスペースも長さが３Ｔから１４Ｔの範囲にある。ここで、Ｔは、チャネルビット周期（channel bit period）である。
【００１１】
[0011]オプティカルドライブに設けられるライトストラテジテーブルは、特定のマーク長がどのようにして形成されるべきかを指定するデータエントリを記憶する。換言すれば、書込みプロセスが非線形であるために、ライトストラテジテーブルは、マーク長ごとにレーザパワー、パルスタイミングエッジ、および他の関連するデータを含んでいる。通常、ライトストラテジテーブルは、光学ドライブに設けられる、フラッシュメモリモジュールなどの不揮発性メモリモジュールに記憶される。
【００１２】
[0012]ライトストラテジテーブルを構成するには、一般的に媒体タイプ（例えば、媒体の製造業者）にもその書込み速度にも共に依存するキャリブレーションシーケンスが必要になる。キャリブレーションシーケンスは、光媒体再生デバイスごとに製造中に行われる。さらに、このキャリブレーションシーケンスは、光媒体再生デバイスについての潜在的なユーザに利用され得る全ての可能性のある既知の媒体タイプを考慮するためのデータを含んでおり、不揮発性メモリモジュールに記憶される。
【００１３】
[0013]しかしながら、新しい媒体タイプが、媒体製造業者によって導入されると、ライトストラテジテーブルを更新しなければならない。例えば、ユーザは、製造業者からの更新されたライトストラテジテーブルを含む新しいファームウェアを（例えばインターネットから）ダウンロードすることができる。インターネットアクセスが使用可能でないときには、ユーザは、ショッピングセンタを介して製造業者からのアップデートディスクを取得する必要がある。ある種の状況においては、ユーザは、オリジナルのライトストラテジテーブルを用いては適切に書き込むことができない偽造品または仕様に合わない媒体を、故意無く、取得することもある。したがって、ドライブ製造業者から如何なる更新を行っても、結果として生じる書込み問題を解決することができないことがある。しばしば、消費者は、ＤＶＤドライブなどの光媒体再生デバイスを購入し、低コストの媒体を用いてこれらのドライブを動作させようと試みることがある。消費者は、これらのドライブでは、適切に上記媒体に書き込み、または上記媒体を読み取ることができないことを見出すと、多くがドライブを店に返品し、これによって、ドライブ製造業者にコストの増大がもたらされる。
【概要】
【００１４】
[0014]光媒体再生デバイス用のライトストラテジキャリブレーションシステムは、ライトストラテジテーブルを記憶するためのメモリを含んでいる。制御モジュールが、書き込み信号を生成して、ライトストラテジテーブルに記憶されたキャリブレーションデータに従って光ストレージ媒体にトレーニングパターンを書き込む。ライトストラテジ解析モジュールが、光ストレージ媒体に書き込まれたトレーニングパターンを示す読み出し信号を受け取り、この読み出し信号に従ってキャリブレーションデータを調整する。
【００１５】
[0015]本発明の他の特徴においては、トレーニングパターンは、プリアンブルパターンとメインデータシーケンスとを含んでおり、これらの各々は、バイナリデータを示すマークパターンおよびスペースパターンを含んでいる。トレーニングパターンは、プリアンブルパターンの終了とメインデータシーケンスの開始を示す同期マークを含んでいる。メインデータシーケンスは、マーク長およびスペース長の全ての可能な組合せを表すマークパターンとスペースパターンを含んでいる。トレーニングパターンは、トレーニングパターン及びメインデータシーケンスのうちの少なくとも一方に散りばめられたリファレンスパターンを更に含んでいる。
【００１６】
[0016]本発明の他の特徴においては、タイミングモジュールが、プリアンブルパターン及びリファレンスパターンのうちの少なくとも一方に従って、トレーニングパターン上のタイミングロックを取得する。タイミングモジュールは、リファレンスパターンの第１の遷移エッジにおいてタイミングロックを取得する。第１の遷移エッジは、リファレンスパターンの前方（立ち上がり）遷移エッジおよび後方（立ち下がり）遷移エッジのうちの一方である。プリアンブルパターンを形成するマークおよびスペースのパターンは、リファレンスパターンと等価である。ライトストラテジ解析モジュールは、トレーニングパターンから遷移エッジを読み取る。ライトストラテジ解析モジュールおよびタイミングモジュールのうちの少なくとも一方は、タイミングロックを選択的に調整する。ライトストラテジ解析モジュールは、タイミングモジュールを含んでいる。
【００１７】
[0017]本発明の他の特徴においては、光媒体再生デバイスは、ライトストラテジキャリブレーションシステムを含んでいる。光媒体再生デバイスは、コンパクトディスク（ＣＤ）書込み可能ドライブ、ＣＤ書換え可能ドライブ、デジタル多用途ディスク（ＤＶＤ）書込み可能ドライブ、ＤＶＤ書換え可能ドライブ、ブルーレイＤＶＤドライブ、およびＨＤＤＶＤドライブのうちの少なくとも一つである。ライトストラテジテーブルは、既知の光ストレージ媒体タイプに関するキャリブレーションデータを有している。光媒体再生デバイスは、ライトストラテジテーブル中のキャリブレーションデータを調整した後に、トレーニングパターンを書き換える。ライトストラテジテーブルは、揮発性メモリと不揮発性メモリのうちの少なくとも一方に記憶される。ライトストラテジテーブルは、光媒体再生デバイスのファームウェアで実装される。ライトストラテジ解析モジュールは、光媒体再生デバイスのファームウェアと通信して、キャリブレーションデータを調整する。
【００１８】
[0018]本発明の他の特徴においては、トレーニングパターンは、以下の表によるマークとスペースの組合せを有するメインデータシーケンスを含んでいる。
【表１】
0005437332.tif 000002
ここで、ｘＳ／ｙＭのマークとスペースの組合せは、ｘの長さを有するスペースと、ｙの長さを有するマークとを含んでおり、ｘとｙは整数であり、またこのトレーニングパターンは、ＤＣバランシングのための冗長パターンを更に含んでいる。
【００１９】
[0019]光媒体再生デバイスについてのライトストラテジをキャリブレーションする方法は、ライトストラテジテーブルを記憶するステップと、書込み信号を生成して、ライトストラテジテーブルに記憶されたキャリブレーションデータに従って光ストレージ媒体にトレーニングパターンを書き込むステップと、光ストレージ媒体に書き込まれたトレーニングパターンを示す読み出し信号を受け取るステップと、読み出し信号に従ってキャリブレーションデータを調整するステップと、を含んでいる。
【００２０】
[0020]本発明の他の特徴においては、トレーニングパターンは、マークパターンおよびスペースパターンを含んでおり、これらの各々はバイナリデータを示すプリアンブルパターン及びメインデータシーケンスを含んでいる。トレーニングパターンは、プリアンブルパターンの終了とメインデータシーケンスの開始を示す同期マークを含んでいる。メインデータシーケンスは、マーク長およびスペース長の全ての可能な組合せを表すマークパターン及びスペースパターンを含んでいる。トレーニングパターンは、トレーニングパターンとメインデータシーケンスのうちの少なくとも一方に散りばめられたリファレンスパターンを更に含んでいる。
【００２１】
[0021]本発明の他の特徴において、この方法は、プリアンブルパターンとリファレンスパターンのうちの少なくとも一方に従ってトレーニングパターン上のタイミングロックを取得するステップを更に含んでいる。上記取得するステップは、リファレンスパターンの第１の遷移エッジ上のタイミングロックを取得するステップを含んでいる。第１の遷移エッジは、リファレンスパターンの前方遷移エッジおよび後方遷移エッジのうちの一方である。プリアンブルパターンを形成するマークおよびスペースのパターンは、リファレンスパターンと等価である。
【００２２】
[0022]本発明の他の特徴においては、この方法は、トレーニングパターンから遷移エッジを読み取るステップを更に含んでいる。この方法は、タイミングロックを選択的に調整するステップを更に含んでいる。ライトストラテジテーブルは、既知の光ストレージ媒体タイプについてのキャリブレーションデータを含んでいる。この方法は、ライトストラテジテーブル中のキャリブレーションデータを調整した後にトレーニングパターンを書き換えるステップを更に含んでいる。上記記憶するステップは、揮発性メモリと不揮発性メモリのうちの少なくとも一方にライトストラテジテーブルを記憶することを含んでいる。ライトストラテジテーブルは、光媒体再生デバイスのファームウェアで実装される。この方法は、光媒体再生デバイスのファームウェアと通信して、キャリブレーションデータを調整するステップを更に含んでいる。
【００２３】
[0023]本発明の他の特徴においては、トレーニングパターンは、以下の表によるマークとスペースの組合せを含むメインデータシーケンスを含んでいる。
【表２】
0005437332.tif 000003
ここで、ｘＳ／ｙＭのマークとスペースの組合せは、ｘの長さを有するスペースと、ｙの長さを有するマークとを含んでおり、ｘとｙは整数であり、またトレーニングパターンは、ＤＣバランシングのための冗長パターンを更に含んでいる。
【００２４】
[0024]光媒体再生デバイス用のライトストラテジキャリブレーションシステムは、ライトストラテジテーブルを記憶するメモリ手段と、書込み信号を生成してライトストラテジテーブルに記憶されたキャリブレーションデータに従って光ストレージ媒体にトレーニングパターンを書き込む制御手段と、光ストレージ媒体に書き込まれたトレーニングパターンを示す読み出し信号を受け取り、読み出し信号に従ってこのキャリブレーションデータを調整するライトストラテジ解析手段と、を含んでいる。
【００２５】
[0025]本発明の他の特徴においては、トレーニングパターンは、プリアンブルパターンとメインデータシーケンスを含んでおり、これらの各々は、バイナリデータを示すマークパターンおよびスペースパターンを含んでいる。トレーニングパターンは、プリアンブルパターンの終了とこのメインデータシーケンスの開始を示す同期マークを含んでいる。メインデータシーケンスは、マーク長およびスペース長の全ての可能な組合せを表すマークパターンおよびスペースパターンを含んでいる。トレーニングパターンは、トレーニングパターンとメインデータシーケンスのうちの少なくとも一方に散りばめられたリファレンスパターンを更に含んでいる。
【００２６】
[0026]本発明の他の特徴においては、ライトストラテジキャリブレーションシステムは、プリアンブルパターン及びリファレンスパターンのうちの少なくとも一方に従ってトレーニングパターン上のタイミングロックを取得するタイミング手段を含んでいる。タイミング手段は、リファレンスパターンの第１の遷移エッジ上でタイミングロックを取得する。第１の遷移エッジは、リファレンスパターンの前方遷移エッジと後方遷移エッジのうちの一方である。プリアンブルパターンを形成するマークおよびスペースのパターンは、リファレンスパターンと等価である。ライトストラテジ解析手段は、トレーニングパターンから遷移エッジを読み取る。ライトストラテジ解析手段とタイミング手段のうちの少なくとも一方は、タイミングロックを選択的に調整する。ライトストラテジ解析手段は、タイミング手段を含んでいる。
【００２７】
[0027]本発明の他の特徴においては、光媒体再生デバイスは、ライトストラテジキャリブレーションシステムを含んでいる。光媒体再生デバイスは、コンパクトディスク（ＣＤ）書込み可能ドライブ、ＣＤ書換え可能ドライブ、デジタル多用途ディスク（ＤＶＤ）書込み可能ドライブ、ＤＶＤ書換え可能ドライブ、ブルーレイＤＶＤドライブ、およびＨＤＤＶＤドライブのうちの少なくとも一つである。ライトストラテジテーブルは、既知の光ストレージ媒体タイプ関するキャリブレーションデータを含んでいる。光媒体再生デバイスは、ライトストラテジテーブル中のキャリブレーションデータを調整した後にトレーニングパターンを書き換える。ライトストラテジテーブルは、揮発性メモリと不揮発性メモリのうちの少なくとも一方に記憶される。ライトストラテジテーブルは、光媒体再生デバイスのファームウェアで実装される。ライトストラテジ解析手段は、光媒体再生デバイスのファームウェアと通信して、キャリブレーションデータを調整する。
【００２８】
[0028]本発明の他の特徴においては、トレーニングパターンは、以下の表によるマークとスペースの組合せを含むメインデータシーケンスを含んでいる。
【表３】
0005437332.tif 000004
ここで、ｘＳ／ｙＭのマークとスペースの組合せは、ｘの長さを有するスペースと、ｙの長さを有するマークとを含んでおり、ｘとｙは整数であり、またトレーニングパターンは、ＤＣバランシングのための冗長パターンを更に含んでいる。
【００２９】
[0029]光媒体再生デバイスについてのライトストラテジをキャリブレーションするプロセッサによって実行されるコンピュータプログラムは、ライトストラテジテーブルを記憶するステップと、書込み信号を生成して、ライトストラテジテーブルに記憶されたキャリブレーションデータに従って光ストレージ媒体にトレーニングパターンを書き込むステップと、光ストレージ媒体に書き込まれたトレーニングパターンを示す読み出し信号を受け取るステップと、読み出し信号に従ってこのキャリブレーションデータを調整するステップと、を含んでいる。
【００３０】
[0030]本発明の他の特徴においては、トレーニングパターンは、プリアンブルパターンとメインデータシーケンスを含んでおり、これらの各々は、バイナリデータを示すマークパターンおよびスペースパターンを含んでいる。トレーニングパターンは、プリアンブルパターンの終了とメインデータシーケンスの開始を示す同期マークを含んでいる。メインデータシーケンスは、マーク長およびスペース長の全ての可能な組合せを表すマークパターンとスペースパターンを含んでいる。トレーニングパターンは、トレーニングパターンとメインデータシーケンスのうちの少なくとも一方に散りばめられたリファレンスパターンを更に含んでいる。
【００３１】
[0031]本発明の他の特徴において、コンピュータプログラムは、プリアンブルパターンとリファレンスパターンのうちの少なくとも一方に従ってトレーニングパターン上のタイミングロックを取得するステップを更に含んでいる。上記の得するステップは、リファレンスパターンの第１の遷移エッジ上のタイミングロックを取得するステップを含んでいる。第１の遷移エッジは、リファレンスパターンの前方遷移エッジおよび後方遷移エッジのうちの一方である。プリアンブルパターンを形成するマークおよびスペースのパターンは、リファレンスパターンと等価である。
【００３２】
[0032]本発明の他の特徴において、コンピュータプログラムは、トレーニングパターンから遷移エッジを読み取るステップを更に含んでいる。コンピュータプログラムは、タイミングロックを選択的に調整するステップを更に含んでいる。ライトストラテジテーブルは、既知の光ストレージ媒体タイプに関するキャリブレーションデータを含んでいる。コンピュータプログラムは、ライトストラテジテーブル中のキャリブレーションデータを調整した後にトレーニングパターンを書き換えるステップを更に含んでいる。上記記憶するステップは、揮発性メモリと不揮発性メモリのうちの少なくとも一方にライトストラテジテーブルを記憶するステップを含んでいる。ライトストラテジテーブルは、光媒体再生デバイスのファームウェアで実装される。コンピュータプログラムは、光媒体再生デバイスのファームウェアと通信して、キャリブレーションデータを調整するステップを更に含んでいる。
【００３３】
[0033]本発明の他の特徴においては、トレーニングパターンは、以下の表によるマークとスペースの組合せを含むメインデータシーケンスを含んでいる。
【表４】
0005437332.tif 000005
ここで、ｘＳ／ｙＭのマークとスペースの組合せは、ｘの長さを有するスペースと、ｙの長さを有するマークとを含んでおり、ｘとｙは整数であり、またトレーニングパターンは、ＤＣバランシングのための冗長パターンを更に含んでいる。
【００３４】
[0034]更に他の特徴においては、前述のシステムおよび方法は、一つまたは複数のプロセッサによって実行されるコンピュータプログラムによって実装される。このコンピュータプログラムは、それだけには限定されないがメモリ、不揮発性データストレージ媒体、および／または他の適切な有形ストレージ媒体などのコンピュータ読取り可能媒体の上に存在することができる。
【００３５】
[0035]本発明の適用性の更なる領域については、以下に提供される詳細な説明から明らかになろう。本発明の好ましい実施形態を示すが、これらの詳細な説明および特定の実施例については、例示の目的のためのものであり、本発明の範囲を限定することを意図したものではないことを理解されたい。
【００３６】
[0036]本発明については、この詳細な説明および添付図面からさらに十分に理解されるようになろう。
【好ましい実施形態の詳細な説明】
【００３７】
[0056]一つ（または複数）の好ましい実施形態についての以下の説明は、本質的に単に例示的なものにすぎず、決して本発明、その用途または使用を限定することを意図してはいない。明確にするために、同じ参照番号を図面中に使用して、同様な要素を特定する。本明細書中で使用するように、モジュール、回路および／またはデバイスという用語は、一つまたは複数のソフトウェアプログラムまたはファームウェアプログラムを実行するＡＳＩＣ（Application Specific Integrated Circuit特定用途向け集積回路）、電子回路、プロセッサ（共用、専用、またはグループ）およびメモリ、組合せ論理回路、および／または説明される機能を実現する他の適切なコンポーネントのことを意味する。本明細書中で使用するように、Ａ、Ｂ、およびＣのうちの少なくとも一つというフレーズは、非排他的論理和を使用した論理（ＡまたはＢまたはＣ）を意味するものと解釈されるべきである。ある方法の内部のステップは、本発明の原理を変更せずに異なる順序で実行することが可能であることを理解されたい。
【００３８】
[0057]本発明により、光媒体再生デバイスは、製造業者またはファームウェアの更新に頼る必要なしに、様々な書込み可能媒体タイプおよび／または書換え可能媒体タイプに適応することが可能になる。その結果、消費者の満足と、製造業者の収益性が、販売の増大と製品返却率の減少によって改善させられる。
【００３９】
[0058]より詳細には、本発明により、光媒体再生デバイス上に記憶されたライトストラテジテーブルの自動化キャリブレーションが可能になる。光媒体再生デバイスは、ライトストラテジレーザパルスの高精度制御と、この書込みレーザによって書き込まれるデータの高精度な測定と、を実現する。現行の光媒体ストレージ技術においては、ライトストラテジパルスの高精度な制御は、いくつかの世代の製品に対して使用可能になっていた。しかし従来は、書込みも高精度な測定も共に実施する集積回路またはモジュールは、利用可能ではない。リードバック波形の高精度な測定は、高価な計測器（例えば、高速デジタルサンプリングスコープ）を使用して実施することができるが、このような実装については、工場、研究室、または他の高コストな製造環境のみに限定されている。
【００４０】
[0059]ここで、図６を参照する。本発明は、ＤＶＤシステムなど光媒体再生デバイス５０において実装されている。光媒体再生デバイス５０は、ＤＶＤプリント回路基板（ＰＣＢ）５２を含むように示されており、当該ＤＶＤ ＰＣＢは、光媒体再生デバイス５０の制御に関連する読み出しデータ、書込みデータ、および／または揮発性制御コードを記憶するバッファ５４を含んでいる。バッファ５４には、ＳＤＲＡＭや他のタイプの低レイテンシメモリ等の揮発性メモリを使用することができる。フラッシュメモリ等の不揮発性メモリ５５もまた、ＤＶＤ書込みフォーマットおよび／または他の不揮発性制御コードに関連するデータなど、クリティカルなデータのために使用することもできる。ＤＶＤＰＣＢ５２上に配置されたプロセッサ５６は、光媒体再生デバイス５０の動作に関連したデータ処理および／または制御処理を実施する。プロセッサ５６はまた、必要に応じてコピープロテクトおよび／または圧縮／伸張の復号化も実施する。ＤＶＤ制御モジュール５８は、入出力インターフェース６０、スピンドル／フィードモータ（ＦＭ）ドライバ６２、および／または、読取り／書込みチャネルモジュール６４と通信する。ＤＶＤ制御モジュール５８は、スピンドル／ＦＭドライバ、読取り／書込みチャネルモジュール６４およびプロセッサ５６の制御、並びにインターフェース６０を介したデータ入出力を、調整（コーディネート）する。
【００４１】
[0060]書込み動作中に、読取り／書込みチャネルモジュール６４は、光読取り／書込み（ＯＲＷ）または光読取り専用（ＯＲ）デバイス６６によってＤＶＤプラッタに書き込むべきデータを符号化する。読取り／書込みチャネルモジュール６４は、信頼性のために信号を処理し、例えばエラー検査訂正（ＥＣＣ）符号化、ランレングスリミテッド（ＲＬＬ）符号化などを適用することができる。読取り動作中に、読取り／書込みチャネルモジュール６４は、ＯＲＷまたはＯＲデバイス６６のアナログ出力をデジタル信号に変換する。次いで、既知の技法によって変換された信号を検出して復号化し、ＤＶＤ上に書き込まれたデータを再生する。
【００４２】
[0061]ＤＶＤアセンブリ（ＤＶＤＡ）６８は、データを光学的に記憶する、ＤＶＤプラッタ等の光ストレージ媒体７０を含んでいる。光ストレージ媒体７０は、７１の位置に概略的に示されているスピンドルモータによって回転させられる。スピンドルモータ７１は、読取り／書込み動作中に制御された速度および／または可変な速度で、光ストレージ媒体７０を回転させる。ＯＲＷまたはＯＲデバイス６６は、光ストレージ媒体７０に対して相対的に移動して、光ストレージ媒体７０から、または光ストレージ媒体７０へのデータの読取りおよび／または書込みを行う。ＯＲＷまたはＯＲデバイス６６は、通常、レーザおよび光センサを含んでいる。
【００４３】
[0062]ＤＶＤ読取り／書込みシステムおよびＤＶＤ読取り専用システムでは、レーザは、読取り動作中に光ストレージ媒体７０上のトラックに向けられる。光センサは、ランド／ピット（land/pit）によって引き起こされる反射を感知する。ＤＶＤ読取り／書込み（ＲＷ）用途では、レーザを使用して、書込み動作中に光ストレージ媒体７０上の染料層の加熱も行う。
【００４４】
[0063]スピンドル／ＦＭドライバ６２は、スピンドルモータ７１を制御し、これによって、光ストレージ媒体７０を制御可能に回転させる。スピンドル／ＦＭドライバ６２はまた、例えばボイスコイルアクチュエータ、ステッパモータ、または他の適当なアクチュエータを使用して、フィードモータ７２を位置づける制御信号を生成する。フィードモータ７２は、一般的に光ストレージ媒体７０に対して相対的に半径方向に、ＯＲＷまたはＯＲデバイス６６を移動させる。レーザドライバ７３は、読取り／書込みチャネルモジュール６４の出力に基づいてレーザドライブ信号を生成する。ＤＶＤＡ６８は、アナログ読取り信号を増幅するプリアンプ回路７４を含んでいる。データを読み取るときに、プリアンプ回路７４は、ＯＲＷまたはＯＲデバイス６６からの低レベル信号を増幅し、増幅された信号を読取り／書込みチャネルモジュール６４に出力する。
【００４５】
[0064]光媒体再生デバイス５０は、ＭＰＥＧフォーマットの何れかのようなビデオの符号化および／または復号化を行うコーデックモジュール７５を更に含んでいる。オーディオおよび／またはビデオのデジタル信号処理プロセッサおよび／またはモジュール７６および７７は、それぞれオーディオおよび／またはビデオそれぞれの信号処理を実施する。
【００４６】
[0065]光媒体再生デバイス５０の一部分は、一つまたは複数の集積回路（ＩＣ）またはチップによって実装することができる。例えば、プロセッサ５６およびＤＶＤ制御モジュール５８は、単一チップによって実装することができる。スピンドル／ＦＭドライバ６２および／または読取り／書込みチャネルモジュール６４もまた、プロセッサ５６、ＤＶＤ制御モジュール５８と同じチップ、および／または追加チップによって実装することが可能である。ＤＶＤＡ６８以外の殆どの光媒体再生デバイス５０もまた、ＳＯＣとして実装することが可能である。
【００４７】
[0066]光媒体再生デバイス５０は、ライトストラテジテーブルを記憶し、動的に更新する。例えば、光媒体再生デバイス５０は、ライトストラテジテーブルを揮発性メモリ５４および／または不揮発性メモリ５５に記憶することができる。ライトストラテジテーブルは、キャリブレーションデータを含んでいる。光媒体再生デバイス５０は、ライトストラテジテーブルに記憶されたキャリブレーションデータに従って（読取り／書込みチャネルモジュール６４および／またはレーザドライバ７３を介して）光ストレージ媒体７０に書き込みを行う。光媒体再生デバイス５０は、使用される特定のタイプの光ストレージ媒体７０に従って、ライトストラテジテーブルに記憶されたキャリブレーションデータを更新する。したがって、キャリブレーションデータの外部から開始される更新は、必要ではない。
【００４８】
[0067]ライトストラテジテーブルを更新するために、光媒体再生デバイス５０は、最初に初期のライトストラテジに従って、光ストレージ媒体７０に対してトレーニングパターンを書き込む。トレーニングパターンは、全ての可能なマーク長とスペース長の組合せを表すデータを含み得る。初期のライトストラテジは、既知の光媒体タイプによるレーザパワーデータまたは他のデータを含んでいてもよい。例えば、既知の媒体タイプについての初期のライトストラテジは、ファームウェア（例えば、不揮発性メモリ５５）中および／または光ストレージ媒体７０上に記憶することができる。未知の媒体タイプについては、初期のライトストラテジが推定されてもよい。例えば、初期のライトストラテジは、ファームウェアに記憶されたデフォルトのライトストラテジ、および／または以前に使用されたライトストラテジとすることができる。
【００４９】
[0068]次いで光媒体再生デバイス５０は、（ＯＲＷまたはＯＲデバイス６６および／または読取り／書込みチャネルモジュール６４を介して）書き込まれたトレーニングパターンを光ストレージ媒体７０から読み取る。光媒体再生デバイス５０は、書き込まれたトレーニングパターンを解析して、マークとスペースの長さ及びロケーションが、当該パターンの意図された長さおよびロケーションに対応するか否かを求める。換言すれば、光媒体再生デバイス５０は、マークおよびスペースが意図されたロケーションからオフセットされている距離を求める。当該オフセット距離に基づいて、光媒体再生デバイス５０は、ライトストラテジテーブルを調整して、キャリブレーションデータを追加的に補正する。例えば、光媒体再生デバイス５０は、ライトストラテジテーブルを調整して、書き込まれたマークが長すぎたか、それとも短すぎたかどうかを、初期のストラテジーに基づいて、反映することができる。
【００５０】
[0069]光媒体再生デバイス５０は、更新されたライトストラテジテーブルに従って、光ストレージ媒体７０にトレーニングパターンの再書込みを行い、解析のために書き込まれたトレーニングパターンの再読取りを行う。光媒体再生デバイス５０は、ライトストラテジを受け入れることができると判定されるまで、この手順を反復する。
【００５１】
[0070]次に図７を参照する。自動ライトストラテジキャリブレーション方法８０は、ステップ８２において開始される。ステップ８４において、方法８０を実装する光媒体再生デバイス５０の電源がオンになる。ステップ８６において、光媒体再生デバイス５０は、トレーニングパターンを光ストレージ媒体７０に書き込む。ステップ８８において、光媒体再生デバイス５０は、光ストレージ媒体７０から書き込まれたトレーニングパターンを読み取る。ステップ９０において、光媒体再生デバイス５０は、書き込まれたトレーニングパターンを解析して、データのオフセットを求める。ステップ９２において、光媒体再生デバイス５０は、書き込まれたトレーニングパターンをオフセットに基づいて受け入れることができるか否かを判定する。真である場合、方法８０は、ステップ９４へと進む。偽である場合には、方法８０はステップ９６へと進む。
【００５２】
[0071]ステップ９４において、光媒体再生デバイス５０は、通常の動作を継続する。例えば、光媒体再生デバイス５０は、現行のライトストラテジテーブルに従って光ストレージ媒体７０にデータを書き込んでもよい。光媒体再生デバイス５０は、ステップ９８において電源をオフにするまで、および／または新しい光ストレージ媒体７０が提示されるまで、動作を継続し得る。
【００５３】
[0072]ステップ９６において、光媒体再生デバイス５０は、書き込まれたトレーニングパターンの解析に基づいて、ライトストラテジテーブルを調整する。次いで、方法８０は、ステップ８６へと進む。このようにして方法８０は、受け入れることができるライトストラテジが見出されるまで、ライトストラテジテーブルを調整し、得られるトレーニングパターンを解析し続ける。
【００５４】
[0073]次に、図８および９を参照すると、光媒体再生デバイス５０の動作が、更に詳細に説明されている。光ストレージ媒体７０上に記憶されるデータは、通常、交互に並んだ同期パターン１００とデータブロック１０２を含んでいる。同期パターン１００は、データブロック１０２を特定するために、使用される。換言すれば、光媒体再生デバイス５０は、対応するデータブロック１０２を適切に読み取ることができるようにするために、同期パターン１００のロケーションを特定できる必要がある。
【００５５】
[0074]光媒体再生デバイス５０は、同期検出器モジュール１０４およびタイミングモジュール１０６を含み得る。例えば、同期検出器モジュール１０４および／またはタイミングモジュール１０６は、図６に示されるように、読取り／書込みチャネルモジュール６４、ＤＶＤ制御モジュール５８、および／またはＤＶＤＰＣＢ５２上の他の場所に配置することができる。同期検出器モジュール１０４は、同期パターン１００を特定するために使用される。より詳細には、同期検出器モジュール１０４は、光ストレージ媒体７０から読み取られたリードバックデータ１０８を受け取り、同期パターン１００中の遷移エッジを特定する。タイミングモジュール１０６は、光媒体再生デバイス５０内に配置された同期検出器モジュール１０４および／または他のモジュールのために、タイミング信号１１０を生成する。同期検出器モジュール１０４は、タイミングエラー信号１１２を生成して、タイミングモジュール１０６のタイミングループを調整する。このようにして、このタイミングループは、書き込まれたパターン内の遷移エッジに対してロックすることができる。例えば、タイミングループは書き込まれたパターン内の前方および／または後方遷移エッジにロックオンすることができる。
【００５６】
[0075]光媒体再生デバイス５０は、ライトストラテジ解析モジュール１２０を更に含んでいる。例えば、ライトストラテジ解析モジュール１２０は、図６に説明されるような読取り／書込みチャネルモジュール６４、ＤＶＤ制御モジュール５８、および／またはＤＶＤＰＣＢ５２上の他の場所に配置することができる。ライトストラテジ解析モジュール１２０は、同期検出器モジュール１０４からの同期検出信号１２２、タイミングモジュール１０６からのタイミング信号１１０、及びリードバックデータ１０８を受け取る。ライトストラテジ解析モジュール１２０は、同期検出信号１２２に従って、いつデータブロック１０２を受け取るべきかを求める。ライトストラテジ解析モジュール１２０は、それに応じてデータブロック１０２内の遷移エッジを受け取る。例えば、ライトストラテジ解析モジュール１２０は、デジタルチャネル１２４上でリードバックデータ１０８を受け取ることができる。デジタルチャネル１２４に対するリードバックパラメータは、光ストレージ媒体７０からデータを読み取るために使用される特定のＯＲＷまたはＯＲデバイスに従って選択することができる。これらのパラメータについての適切な設定は、従来のキャリブレーションの試みに従って決定することができる。他の実装形態において、ライトストラテジ解析モジュール１２０は、タイミングモジュール１０６および／または同期検出器モジュール１０４を備える。
【００５７】
[0076]ライトストラテジ解析モジュール１２０は、次に、図６および７に示されるように、書き込まれたトレーニングパターンのマークおよびスペースを解析する。或いは、遷移エッジおよび書き込まれたトレーニングパターンの解析は、光媒体再生デバイス５０のファームウェアに記憶された解析プログラムによって実施することも可能である。ライトストラテジ解析モジュール１２０（および／またはファームウェア）は、この解析に従って、ライトストラテジテーブルを更新する。
【００５８】
[0077]次に、図１０を参照する。光媒体再生デバイス５０は、図に示すように例示のトレーニングパターン１３０を書き込む。トレーニングパターン１３０は、プリアンブルパターン１３２とメインデータシーケンス１３４とを含んでいる。プリアンブルパターン１３２は、図８で説明されたように同期パターン１００に対応し、プリアンブルパターン１３２中に散りばめられたリファレンスパターン１３６を含み得る。プリアンブルパターン１３２は、同期検出器モジュール１０４およびタイミングモジュール１０６が、タイミングループをトレーニングパターン１３０（およびリファレンスパターン１３６）の前方エッジ１３６上にロックすることができるように設けられる。同期マーク１３８は、プリアンブルパターン１３２の終了とメインデータシーケンス１３４の開始を示す。プリアンブルパターン１３２および／またはリファレンスパターン１３６は、光媒体再生デバイス５０および／または光ストレージ媒体７０の最小の遷移間隔に基づいて、形成することができる。例えば、赤色レーザを使用した現行規格のＤＶＤについての最小遷移間隔は、スペース長についてもマーク長についても共に３Ｔ（３チャネルビット周期）である。当業者であれば、プリアンブルパターン１３２とリファレンスパターン１３６の他の間隔も可能であることを理解することができよう。図に示すように、プリアンブルパターン１３２は、３Ｓ／３Ｍ、３Ｓ／３Ｍ、３Ｓ／３Ｍ、...、３Ｓ／３Ｍである。ここで、表記ｘＳ／ｙＭは、ｙＴの長さを有するマークが後続するｘＴの長さを有するスペースを含むパターンを示している。図に示すように、同期マーク１３８は、１０Ｓ／３Ｍである。
【００５９】
[0078]メインデータシーケンス１３４は、全ての可能なマーク長とスペース長の組合せを表すデータを含んでいる。例えば、メインデータシーケンスは、以下の例示の表によるマーク長とスペース長の組合せを含んでいる。
【表５】
0005437332.tif 000006
【００６０】
[0079]上記表は、５Ｔ以下のスペース長と１４Ｔ以下のマーク長とを含むメインデータシーケンス１３４を示している。換言すれば、上記表は、５Ｔより大きなスペース長がマーク形成に影響を及ぼさないことを仮定している。しかしながら、当業者であれば、メインデータシーケンス１３４は、６Ｔ、７Ｔ、...、および／または１４Ｔなどのより大きなスペース長を含むことができることを理解することができよう。さらに、メインデータシーケンス１３４は、後方スペース長を表すパターン（すなわち、マークに続くスペースを表すパターン）を含むことができる。本実装形態においては、メインデータシーケンス１３４は、ＡＣカップリングの使用により、チャネルオフセットを除去することができるように実質的にＤＣ成分がないように構成される。結果として、リードバックデータの処理が簡略化される。他の実装形態においては、その全体が参照により本明細書に組み込まれている２００５年７月２０日に出願の米国特許出願第１１／１８５５６３号に説明されるようにＡＣ／ＤＣ結合回路を含めることもできる。
【００６１】
[0080]メインデータシーケンス１３４は、上記表に示されるようにＤＣバランシングのための冗長パターンを含むことができる。この冗長パターンは、タイミングループをＤＣオフセット信号にロックすることができるように構成される。例えば、冗長パターンは、１０１０１０１などの交互に並んだビットパターンを含むことができる。次いで、このＤＣオフセット信号は、除去することができる。
【００６２】
[0081]図８、９、および１０に説明したように、タイミングループは、トレーニングパターン１３０内の遷移エッジに対してロックする。キャリブレーションプロセス中に、タイミングループは、最小量の不確実性をもって遷移エッジに対してロックすることが好ましい。本実装形態においては、初期に選択された遷移エッジは、３Ｔのマークの前方エッジであり、タイミングループは、３Ｓ／３Ｍプリアンブルのリードバック中に３Ｔのマークの前方エッジに対してロックしようと試みる。したがって、タイミングループは、同期マーク１３８を検出するのに先立って、タイミングロックを完了すべきである。
【００６３】
[0082]ライトストラテジ解析モジュール１２０のデジタルチャネル１２４が、メインデータシーケンス１３４のリードバック中に４Ｓ／３Ｍデータおよび５Ｓ／３Ｍデータを処理し始めるときに、３Ｔのマークの後方遷移ロケーションは、異なるスペーシング履歴に対して測定することができる。例えば、４Ｔのスペースに先行する３Ｔのマークの後方エッジは、３Ｓ／３Ｍパターン、４Ｓ／３Ｍパターンの解析に基づいて測定することができる。同様に、５Ｔのスペースに先行する３Ｔのマークの後方エッジは、３Ｓ／３Ｍパターン、５Ｓ／３Ｍパターンの解析に基づいて測定することができる。これらの初期測定の後に、タイミングループは、メインデータシーケンス中の任意の３Ｔのマークの後方エッジに対してロックすることができ、データパターンの残りの後方遷移エッジを測定することができる。或いは、このタイミングループは、全体のリードバックプロセスを通して、３Ｔのマークの前方エッジに対してロックしたままにすることができ、および／または、低下された帯域幅における３Ｔのマークの前方エッジに対してロックしたままにすることができる。ライトストラテジテーブルは、メインデータシーケンス１３４に含まれる全てのパターンの測定および解析に基づいて、更新される。
【００６４】
[0083]他の実装形態においては、光媒体再生デバイス５０は、特定の所望の結果が達成されるまで、特定のパターンについての書込みレーザの（例えば、最小パワーレベルから最大パワーレベルまでの）パワーとタイミングとを調整することができる。例えば、光媒体再生デバイス５０は、プリアンブルパターン１３２の３Ｓ／３Ｍパターンについての書込みレーザのパワーとタイミングとを調整することができる。このようにして、最大のコントラスト（すなわち、ピークからピークまでの測定値）および／または最適デューティサイクル（例えば、５０％のデューティサイクル）を達成するのに必要なパワーレベルとタイミングを求めることができる。
【００６５】
[0084]次に図１１Ａを参照する。本発明は、高精細テレビ（ＨＤＴＶ）４２０において実装することが可能であり、当該テレビ４２０は、概して４２２で特定される信号処理回路および／または制御回路の何れかまたは両者、ＷＬＡＮインターフェース、ＨＤＴＶ４２０のマスデータストレージ、および／または電源４２３を含んでいる。本発明は、マスデータストレージ４２７を実装してもよく、および／または、マスデータストレージ４２７で実装されてもよい。ＨＤＴＶ４２０は、ＨＤＴＶ入力信号を有線フォーマットまたは無線フォーマットで受信し、ディスプレイ４２６のためのＨＤＴＶ出力信号を生成する。一部の実装形態においては、ＨＤＴＶ４２０の信号処理回路および／または制御回路４２２、および／または他の回路（図示せず）は、データを処理し、符号化および／または暗号化を実施し、計算を実施し、データをフォーマットし、または必要となりうる他の任意のタイプのＨＤＴＶ処理を実施し、あるいはこれらのどのような組合せも実施することが可能である。
【００６６】
[0085]ＨＤＴＶ４２０は、光ストレージデバイスなどの、不揮発性の態様でデータを記憶するマスデータストレージ４２７と通信し得る。ＨＤＴＶ４２０は、ＲＡＭ、ＲＯＭ、フラッシュメモリなどの低レイテンシ不揮発性メモリ、および／または他の適切な電子データストレージなどのメモリ４２８に接続し得る。ＨＤＴＶ４２０はまた、ＷＬＡＮネットワークインターフェース４２９を介してＷＬＡＮとの接続をサポートすることも可能である。
【００６７】
[0086]次に、図１１Ｂを参照する。車両４３０は、車両制御システムおよび電源４３３を含んでいる。本発明は、車両制御システムのマスデータストレージを実装し、および／または、マスデータストレージで実装されてもよい。車両制御システムは、パワートレイン制御システム４３２を実装しており、当該システム４３２は、温度センサ、圧力センサ、回転センサ、気流センサ、および／または他の任意の適切なセンサなど、一つまたは複数のセンサからの入力を受け取り、並びに／若しくは、エンジン動作パラメータ、トランスミッション動作パラメータ、および／または他の制御信号などの一つまたは複数の出力制御信号を生成する。
【００６８】
[0087]本発明は、車両４３０の他の制御システム４４０で実装することも可能である。制御システム４４０は、同様に入力センサ４４２からの信号を受け取り、および／または、一つまたは複数の出力デバイス４４４に対して制御信号を出力し得る。一部の実装形態においては、制御システム４４０は、ＡＢＳ（anti-lock braking systemアンチロックブレーキシステム）、ナビゲーションシステム、テレマティックスシステム、乗り物テレマティックスシステム、レーン逸脱システム、適応クルーズコントロールシステム、および／またはステレオ、ＤＶＤ、コンパクトディスクなどの車両娯楽システムの一部分となり得る。更に他の実装形態についても企図されている。
【００６９】
[0088]パワートレイン制御システム４３２は、不揮発性の態様でデータを記憶するマスデータストレージ４４６と通信し得る。マスデータストレージ４４６は、ハードディスクドライブＨＤＤおよび／またはＤＶＤなど、光ストレージデバイスおよび／または磁気ストレージデバイスを含み得る。パワートレイン制御システム４３２は、ＲＡＭ、ＲＯＭ、フラッシュメモリなどの低レイテンシ不揮発性メモリ、および／または他の適切な電子データストレージなどのメモリ４４７に接続し得る。パワートレイン制御システム４３２はまた、ＷＬＡＮネットワークインターフェース４４８を介してＷＬＡＮとの接続をサポートし得る。制御システム４４０はまた、マスデータストレージ、メモリ、および／またはＷＬＡＮインターフェース（すべて図示せず）も含むことが可能である。
【００７０】
[0089]次に、図１１Ｃを参照する。本発明は、セルラアンテナ４５１を含み得る携帯電話４５０で実装されてもよい。携帯電話４５０は、概して４５２で特定される信号処理回路および／または制御回路の何れかまたは両者、ＷＬＡＮインターフェース、携帯電話４５０のマスデータストレージ、並びに／若しくは電源４５３を含んでいる。本発明は、携帯電話４５０のマスデータストレージで実装し、および／または、マスデータストレージで実装されてもよい。一部の実装形態においては、携帯電話４５０は、マイクロフォン４５６、スピーカおよび／またはオーディオ出力ジャックなどのオーディオ出力４５８、ディスプレイ４６０、並びに／若しくは、キーパッド、ポインティングデバイス、音声駆動デバイスおよび／または他の入力デバイスなどの入力デバイス４６２を含む。携帯電話４５０中の信号処理回路および／または制御回路４５２、並びに／若しくは他の回路（図示せず）は、データを処理し、符号化および／または暗号化を実施し、計算を実施し、データをフォーマットし、並びに／若しくは、他の携帯電話機能を実施してもよい。
【００７１】
[0090]携帯電話４５０は、光ストレージデバイスおよび／または磁気ストレージデバイス、例えばハードディスクドライブＨＤＤおよび／またはＤＶＤなど、不揮発性の態様でデータを記憶するマスデータストレージ４６４と通信し得る。携帯電話４５０は、ＲＡＭ、ＲＯＭ、フラッシュメモリなどの低レイテンシ不揮発性メモリ、および／または他の適切な電子データストレージなどのメモリ４６６に接続し得る。携帯電話４５０はまた、ＷＬＡＮネットワークインターフェース４６８を介してＷＬＡＮとの接続をサポートすることも可能である。
【００７２】
[0091]次に、図１１Ｄを参照する。本発明は、セットトップボックス４８０で実装されてもよい。セットトップボックス４８０は、概して４８４で特定される信号処理回路および／または制御回路の何れかまたは両者、ＷＬＡＮインターフェース、セットトップボックス４８０のマスデータストレージ、並びに／若しくは、電源４８３を含む。本発明は、セットトップボックス４８０のマスデータストレージを実装し、および／またはマスデータストレージで実装されてもよい。セットトップボックス４８０は、ブロードバンド源などのソースから信号を受け取り、テレビおよび／またはモニタなどのディスプレイ４８８、並びに／若しくは、他のビデオおよび／またはオーディオの出力デバイスのために適した標準および／または高精細度のオーディオ／ビデオ信号を出力する。セットトップボックス４８０の信号処理回路および／または制御回路４８４、並びに／若しくは、他の回路（図示せず）は、データを処理し、符号化および／または暗号化を実施し、計算を実施し、データをフォーマットし、並びに／若しくは、他の任意のセットトップボックス機能を実施してもよい。
【００７３】
[0092]セットトップボックス４８０は、不揮発性の態様でデータを記憶するマスデータストレージ４９０と通信し得る。マスデータストレージ４９０は、光ストレージデバイスおよび／または磁気ストレージデバイス、例えばハードディスクドライブＨＤＤおよび／またはＤＶＤを含み得る。セットトップボックス４８０は、ＲＡＭ、ＲＯＭ、フラッシュメモリなどの低レイテンシ不揮発性メモリ、および／または他の適切な電子データストレージなどのメモリ４９４に接続し得る。セットトップボックス４８０はまた、ＷＬＡＮネットワークインターフェース４９６を介してＷＬＡＮとの接続をサポートすることも可能である。
【００７４】
[0093]次に、図１１Ｅを参照する。本発明は、メディアプレーヤ５００で実装されてもよい。メディアプレーヤ５００は、概して５０４で特定される信号処理回路および／または制御回路の何れかまたは両者、ＷＬＡＮインターフェース、メディアプレーヤ５００のマスデータストレージ、並びに／若しくは、電源５０３を含んでいる。本発明は、メディアプレーヤ５００のマスデータストレージを実装し、および／または、マスデータストレージで実装されてもよい。一部の実装形態においては、メディアプレーヤ５００は、ディスプレイ５０７、および／またはキーパッド、タッチパッドなどのユーザ入力５０８を含む。一部の実装形態においては、メディアプレーヤ５００は、通常、ディスプレイ５０７および／またはユーザ入力５０８を介してメニュー、ドロップダウンメニュー、アイコンおよび／またはポイントアンドクリックインターフェースを使用するグラフィカル・ユーザ・インターフェイス（ＧＵＩ）を使用し得る。メディアプレーヤ５００は、スピーカおよび／またはオーディオ出力ジャックなどのオーディオ出力５０９を更に含んでいる。メディアプレーヤ５００の信号処理回路および／または制御回路５０４、並びに／若しくは、他の回路（図示せず）は、データを処理し、符号化および／または暗号化を実施し、計算を実施し、データをフォーマットし、並びに／若しくは、他の任意のメディアプレーヤ機能を実施してもよい。
【００７５】
[0094]メディアプレーヤ５００は、圧縮されたオーディオコンテンツおよび／またはビデオコンテンツなどのデータを不揮発性の態様で記憶するマスデータストレージ５１０と通信することができる。一部の実装形態においては、圧縮されたオーディオファイルは、ＭＰ３フォーマット、または他の適切な圧縮されたオーディオフォーマットおよび／またはビデオフォーマットに準拠したファイルを含む。マスデータストレージは、光ストレージデバイスおよび／または磁気ストレージデバイス、例えばハードディスクドライブＨＤＤおよび／またはＤＶＤを含み得る。メディアプレーヤ５００は、ＲＡＭ、ＲＯＭ、フラッシュメモリなどの低レイテンシ不揮発性メモリ、および／または他の適切な電子データストレージなどのメモリ５１４に接続し得る。メディアプレーヤ５００はまた、ＷＬＡＮネットワークインターフェース５１６を介してＷＬＡＮとの接続をサポートし得る。前述のこれらの実装形態に加えて、さらに他の実装形態についても企図されている。
【００７６】
[0095]当業者であれば、本発明の広い教示を種々の形態で実装し得ることが、前述の説明から理解することができる。したがって、本発明についてその特定の実施例に関連して説明してきたが、他の変更形態についても、図面、明細書、および添付の特許請求の範囲を検討すれば当業者にはすぐに明らかになるであろうから、本発明の真の範囲は、そのように限定されるべきではない。
【図面の簡単な説明】
【００７７】
【図１】従来技術によるワンタイム書込み可能光ディスクの断面図である。
【図２】光媒体を読み取る光再生デバイスによって生成される例示のマーク／スペース信号と、対応するＮＲＺＩ変換信号とを示す図である。
【図３】従来技術による書換え可能光ディスクの断面図である。
【図４Ａ】従来技術によるワンタイム書込み可能光媒体に書き込むための第１の例示のレーザパワープロファイルを示す図である。
【図４Ｂ】従来技術によるワンタイム書込み可能光媒体に書き込むための第２の例示のレーザパワープロファイルを示す図である。
【図４Ｃ】従来技術によるワンタイム書込み可能光媒体に書き込むための第３の例示のレーザパワープロファイルを示す図である。
【図４Ｄ】従来技術によるワンタイム書込み可能光媒体に書き込むための第４の例示のレーザパワープロファイルを示す図である。
【図５Ａ】従来技術による書換え可能光媒体に書き込むための第１の例示のレーザパワープロファイルを示す図である。
【図５Ｂ】従来技術による書換え可能光媒体に書き込むための第２の例示のレーザパワープロファイルを示す図である。
【図６】本発明によるライトストラテジテーブルを含む光媒体再生デバイスの機能ブロック図である。
【図７】本発明による自動ライトストラテジキャリブレーション方法のステップを示す図である。
【図８】本発明による例示の交互の同期パターンとデータブロックを示す図である。
【図９】本発明によるライトストラテジ解析モジュールを含む例示の光媒体再生デバイスの機能ブロック図である。
【図１０】本発明による例示のトレーニングパターンを示す図である。
【図１１Ａ】高精細テレビの機能ブロック図である。
【図１１Ｂ】車両制御システムの機能ブロック図である。
【図１１Ｃ】携帯電話の機能ブロック図である。
【図１１Ｄ】セットトップボックスの機能ブロック図である。
【図１１Ｅ】メディアプレーヤの機能ブロック図である。
【符号の説明】
【００７８】
５０…光媒体再生デバイス、５２…ＤＶＤ ＰＣＢ、５４…揮発性メモリ、５５…不揮発性メモリ、５６…プロセッサ、５８…ＤＶＤ制御モジュール、６０…入出力インターフェース、６２…スピンドル／フィードモータ（ＦＭ）ドライバ、６４…読取り／書込みチャネルモジュール、６６…光読取り／書込み（ＯＲＷ）または光読取り専用（ＯＲ）デバイス、６８…ＤＶＤアセンブリ（ＤＶＤＡ）、７０…光ストレージ媒体、７１…スピンドルモータ、７２…フィードモータ、７３…レーザドライバ、７４…プリアンプ回路、７５…コーデックモジュール、７６…オーディオデジタル信号処理プロセッサ、７７…ビデオデジタル信号処理プロセッサ、１０４…同期検出器モジュール、１０６…タイミングモジュール、１２０…ライトストラテジ解析モジュール、１２４…デジタルチャネル。
【図１】
0005437332.tif 000007
【図２】
0005437332.tif 000008
【図３】
0005437332.tif 000009
【図４Ａ】
0005437332.tif 000010
【図４Ｂ】
0005437332.tif 000011
【図４Ｃ】
0005437332.tif 000012
【図４Ｄ】
0005437332.tif 000013
【図５Ａ】
0005437332.tif 000014
【図５Ｂ】
0005437332.tif 000015
【図６】
0005437332.tif 000016
【図７】
0005437332.tif 000017
【図８】
0005437332.tif 000018
【図９】
0005437332.tif 000019
【図１０】
0005437332.tif 000020
【図１１Ａ】
0005437332.tif 000021
【図１１Ｂ】
0005437332.tif 000022
【図１１Ｃ】
0005437332.tif 000023
【図１１Ｄ】
0005437332.tif 000024
【図１１Ｅ】
0005437332.tif 000025